(57)【要約】【課題】  外部からの入力操作を受け付ける複数の操作画面を表示可能な表示装置において、キャンセル機能を有するボタンを押す際に誤ってキャンセル機能を有する他のボタンを押してしまうのを回避することにある。【解決手段】  この表示装置は、表示パネルと、第１及び第２表示制御部とを備えている。第１表示制御部は、作業中止ボタン２１を有する設定画面２０を表示可能である。第２表示制御部は、設定画面２０に対してされた所定の入力操作によって設定画面２０に重ねて選択画面２４を表示可能であるとともに、選択画面２４は、作業中止ボタン２１と重なる面方向領域に配置される閉じるボタン２３を有する。そして、第１表示制御部は、閉じるボタン２３が押されてから所定時間の間、作業中止ボタン２１に対する入力操作の受け付けを停止する。【選択図】      図５
2005117080.tif 000002
【特許請求の範囲】
【請求項１】
外部からの入力操作を受け付けるための操作画面を表示可能な表示装置であって、
表示部と、
外部からの入力操作によってそれ以降の入力操作の受け付けを終了するための第１終了ボタンを有する第１操作画面を前記表示部に表示可能な第１表示制御部と、
前記第１操作画面に対してされた所定の入力操作によって前記第１操作画面の上に第２操作画面を重ねて前記表示部に表示可能であるとともに、前記第２操作画面は、前記第１終了ボタンと重なる面方向領域に配置されかつ外部からの入力操作によって前記第２操作画面を閉じるための第２終了ボタンを有する、第２表示制御部とを備え、
前記第１表示制御部は、前記第２終了ボタンが押されてから所定時間の間、前記第１終了ボタンに対する入力操作の受け付けを停止する、
表示装置。
【請求項２】
前記第１表示制御部は、前記第１操作画面が表示されている間は、前記第１操作画面に対してされた入力操作の内容を保持可能であり、前記第１終了ボタンが押された場合は、それまでに前記第１操作画面に対してされた入力操作の内容を消去する、請求項１に記載の表示装置。
【請求項３】
原稿に記録された情報を読み取るための原稿読取部と、
前記原稿読取部で読み取られた情報に基づいて画像形成を行う画像形成部と、
画像形成に関する条件を含む情報を入力可能であり、請求項１または２に記載の表示装置を有する入力操作部と、
を備えた画像形成装置。
【請求項４】
請求項１または２に記載の表示装置と、
前記表示装置の表示部に表示される操作画面に対し入力操作を行うための入力装置と、
を備えた入力受付装置。
【発明の詳細な説明】
【技術分野】
【０００１】
本発明は、表示装置、特に、外部からの入力操作を受け付けるための操作画面を表示可能な表示装置に関する。
又、本発明は、この表示装置を備えた画像形成装置及び入力受付装置に関する。
【背景技術】
【０００２】
原稿に記録された画像、文字情報を読み取り、それを電子化して画像データ（文書データを含む）を得るための装置として、スキャナ装置や、スキャナ機能を有する画像形成装置がある。
【０００３】
近年、このようなスキャナ装置等と、複数のパーソナルコンピュータ（以下、ＰＣ）とがＬＡＮやインターネットを介して接続されてなる通信システムが普及しており（例えば、特許文献１及び２参照）、画像データの共有、管理等が行われている。
【０００４】
このようなシステムでは、通常、スキャナ装置等は、複数のＰＣと種々のデータを送受信するための通信部を備えており、電子化された画像データは、ＬＡＮを介して又はインターネットを介したメール送信によって他のＰＣに送信される。
【０００５】
また、この種のシステムで用いられる、スキャナ機能を有する画像形成装置は、通常、通信部の他に、通信時の種々の条件等を入力操作によって設定するための入力操作部をさらに備えている。従来の入力操作部として、外部からの入力操作を受け付ける操作画面を表示可能なタッチパネル式の表示装置を備えたものが既に知られている。この種の表示装置では、例えば、通信時の条件を設定する際に、どのＰＣに画像データを送信するかを選択すると、所定の設定画面が表示される。この設定画面では、画像データの送信サイズ、解像度、ファイル形式等の設定のための入力操作を受け付ける複数の入力ボタンが表示されるとともに、設定作業を中止するための作業中止ボタンが表示される。作業中止ボタンは、通常、設定画面の右上部分の領域に配置される。
【０００６】
このような設定画面が表示された状態で、例えば、送信サイズを選択するための入力ボタンを押すと、設定画面上に、送信サイズを選択するための選択画面が重ねて表示される。選択画面では、複数の用紙サイズに対応する複数の入力ボタンが表示されるとともに、、画面を閉じるための閉じるボタンが表示される。この閉じるボタンも、設定画面の作業中止ボタンと同様、通常、選択画面の右上部分の領域に配置されている。
【０００７】
このような表示装置では、オペレータによって、選択画面でいずれかの送信サイズが選択されて閉じるボタンが押されると、選択画面が閉じて設定画面が再び表示される。
【特許文献１】特開２００２−２９０６６１公報
【特許文献２】特開２００２−２８１２１１公報
【発明の開示】
【発明が解決しようとする課題】
【０００８】
しかしながら、上記選択画面を閉じる際に、オペレータによっては、選択画面の閉じるボタンを複数回押してしまう場合があり、このような操作が行われると、選択画面が閉じるに留まらず、閉じるボタンと同じ領域に表示される作業中止ボタンが押されることとなり、設定作業が終了してしまう。
【０００９】
一方で、作業中止ボタンや閉じるボタンのような、それ以降の入力操作を受け付けないキャンセル機能を有するボタンは、使い勝手の良さを確保する等の観点から、一般に、操作画面の右上部分の領域に表示されるよう構成されているため、各操作画面における配置位置を変えるのは好ましくない。
【００１０】
本発明の目的は、外部からの入力操作を受け付ける複数の操作画面を表示可能な表示装置において、キャンセル機能を有するボタンを押す際に誤ってキャンセル機能を有する他のボタンを押してしまうのを回避することにある。
【課題を解決するための手段】
【００１１】
請求項１に係る表示装置は、外部からの入力操作を受け付けるための操作画面を表示可能な装置であって、表示部と、第１表示制御部と、第２表示制御部とを備えている。第１表示制御部は、外部からの入力操作によってそれ以降の入力操作の受け付けを終了するための第１終了ボタンを有する第１操作画面を表示部に表示可能である。第２表示制御部は、第１操作画面に対してされた所定の入力操作によって第１操作画面の上に第２操作画面を表示部に重ねて表示可能であるとともに、第２操作画面は、第１終了ボタンと重なる面方向領域に配置されかつ外部からの入力操作によって第２操作画面を閉じるための第２終了ボタンを有する。そして、第１表示制御部は、第２終了ボタンが押されてから所定時間の間、第１終了ボタンに対する入力操作の受け付けを停止する。
【００１２】
この装置では、第１操作画面に対し所定の入力操作を行うことで、第１操作画面の上に第２操作画面が重ねて表示される。そして、第２操作画面に対する入力操作を終了した場合は、第２終了ボタンが押されることで、第２操作画面が閉じて第１操作画面が再び表示される。
【００１３】
ここでは、第２操作画面を閉じる際に、所定時間内に第２終了ボタンがさらに押されても、第１終了ボタンに対する入力操作は受け付けられないため、第１操作画面への入力操作の受け付けが誤って終了してしまうのを回避できる。
【００１４】
請求項２に係る表示装置は、請求項１の装置において、第１表示制御部は、第１操作画面が表示されている間は、第１操作画面に対してされた入力操作の内容を保持可能であり、第１終了ボタンが押された場合は、それまでに第１操作画面に対してされた入力操作の内容を消去する。
【００１５】
この表示装置では、第２終了ボタンが所定時間内に２回以上押されても、第１操作画面に対して既に入力された事項が初期状態に戻されてしまうのを回避できるため、第１操作画面に対し再度同様な入力操作をせずに済み使い勝手がよくなる。
【００１６】
請求項３に係る画像形成装置は、原稿読取部と、画像形成部と、入力操作部とを備えている。原稿読取部は、原稿に記録された情報を読み取るためのものである。画像形成部は、原稿読取部で読み取られた情報に基づいて画像形成を行う。入力操作部は、画像形成に関する条件を含む情報を入力可能であり、請求項１または２に記載の表示装置を有する。
【００１７】
この画像形成装置では、請求項１または２の表示装置を備えているため、第２操作画面を閉じる際に、所定時間内に第２終了ボタンがさらに押されても、第１終了ボタンに対する入力操作は受け付けられないため、第１操作画面への入力操作の受け付けが誤って終了してしまうのを回避できる。
【００１８】
請求項４に係る画像形成装置は、表示装置と、入力装置とを備えている。表示装置は、請求項１または２に記載の装置である。入力装置は、表示装置の表示部に表示される操作画面に対し入力操作を行うための装置である。
【００１９】
この入力受付装置では、請求項１または２の表示装置を備えているため、第２操作画面を閉じる際に、所定時間内に第２終了ボタンがさらに押されても、第１終了ボタンに対する入力操作は受け付けられないため、第１操作画面への入力操作の受け付けが誤って終了してしまうのを回避できる。
【発明の効果】
【００２０】
本発明によれば、第２操作画面を閉じる際に、所定時間内に第２終了ボタンがさらに押されても、第１終了ボタンに対する入力操作は受け付けられないため、第１操作画面への入力操作の受け付けが誤って終了してしまうのを回避できる。
【発明を実施するための最良の形態】
【００２１】
図１及び図２に、本発明の一実施形態が採用された画像形成装置１を示す。
なお、ここでは、画像形成装置１が、ＬＡＮ及びインターネットを介して複数のＰＣ（図示せず）と通信可能に接続されている場合について説明する。
【００２２】
画像形成装置１は、原稿読取部３と、画像形成部５と、入力操作部７と、通信部９と、他の入出力部１１と、制御部１３とを備えている。
原稿読取部３は、載置台２に載置された原稿に記録された画像情報（文字情報を含む）を読み取るためのものであり、図示しない光学系を有している。ここで読み取られた画像情報は、画像形成部５または制御部１３に送られる。
【００２３】
画像形成部５は、原稿読取部３で読み取られた画像情報や、画像形成装置１に接続されたＰＣから送られる画像データを基に画像形成を行うためのものである。画像形成部５は、具体的には、図示しない感光体ドラム、主帯電装置、現像装置、転写装置及び定着装置を有している。感光体ドラムは、表面に静電潜像が形成されるものである。主帯電装置は、感光体ドラム表面を帯電させるための装置である。現像装置は、静電潜像が形成された感光体ドラム表面にトナーを供給してトナー像を形成する装置である。転写装置は、感光体ドラムのトナー像を用紙に転写するための装置である。定着装置は、転写されたトナー像を用紙に定着させるための装置である。
【００２４】
入力操作部７は、図示しないキー群及び表示パネルを有しており、キー群は、テンキー、スタートキー等を有している。スタートキーは、画像形成部５による画像形成を指示するためのキーである。表示パネルは、オペレータが画面に直接手を触れることで入力操作をすることのできるタッチパネル式のものであり、画像形成に関する種々の情報を表示するほか、他のＰＣとの通信に関する設定のための種順の操作画面を表示することができる。各操作画面には、必要に応じて、複数の入力ボタン、タグ等が表示される。
【００２５】
通信部９は、画像形成装置１に接続されたＰＣとの間で画像データの送受信を行うものである。
他の入出力部１１は、ここでは、図示しない給紙装置を有している。給紙装置は、複数の給紙カセット１０及び手差しトレイ１２に配置された用紙を画像形成部５に給紙するための装置である。
【００２６】
制御部１３は、原稿読取部３，画像形成部５、入力操作部７、通信部９及び他の入出力部１１に接続されており、具体的には、ＣＰＵ、ＲＡＭ及びＲＯＭ等で構成される。
ＣＰＵは、画像形成部５等の動作を制御するためのものであり、原稿読取部３から送られる画像情報を電子化して画像データを作成することができる。また、ＣＰＵは、入力操作をする場合に、所定の操作画面を表示する。
【００２７】
なお、ここでは、図３に示す設定画面（第１操作画面）２０及び図４に示す選択画面（第２操作画面）２４が表示される場合を例に説明する。
設定画面２０は、オペレータが選択したＰＣとの通信に関する各種設定を行うための操作画面であり、図３に示すように、画像データの送信サイズを選択するための送信サイズ選択ボタン２２等を含む複数の入力ボタン群２６が表示される。また、設定画面２０は、画面右上部分の領域に作業中止ボタン（第１終了ボタン）２１が表示される。作業中止ボタン２１は、設定画面２０での設定作業を中止するためのボタンであり、ＣＰＵは、作業中止ボタン２１が押されると、ＲＡＭに保持された設定事項を消去して設定画面２０を閉じるよう入力操作部７を制御する。そして、ＣＰＵは、閉じるボタン２３が押されてから所定時間の間は、作業中止ボタン２１に対する外部からの入力操作を受け付けないよう入力操作部７の動作を制御する。ここでの所定時間の長さは、特に限定されないが、ここでは、１秒以上２秒未満であるのが好ましい。
【００２８】
選択画面２４は、設定画面２０の送信サイズ選択ボタン２２が押されることで、設定画面２０の上に開く操作画面である。選択画面２４は、複数の送信サイズボタン２５が表示されるとともに、画面右上部分の領域に閉じるボタン（第２終了ボタン）２３が表示される。閉じるボタン２３は、選択画面２４を閉じるためのボタンであり、設定画面２０の作業中止ボタン２１が表示される領域と同じ位置に表示される。また、ＣＰＵは、閉じるボタン２３が押されることでフラグをオンにして上記所定時間のカウントを開始するとともに、所定時間経過後にフラグをオフにする。
【００２９】
ＲＡＭは、ＣＰＵの作業領域として機能するほか、入力操作部７で入力された内容やＰＣから送られる画像データの内容が保持される領域を有している。また、ＲＡＭは、設定画面２０が表示されている場合は、作業中止ボタン２１が押されるまでにされた入力操作の内容を保持することができる。
【００３０】
ＲＯＭには、ＣＰＵによって行われる制御に関するプログラムや、画像形成部５等の動作に関するプログラム、各操作画面２０，２４に関するプログラム等が格納されている。
次に、図５を参照しながら、画像形成装置１の動作について説明する。
【００３１】
ここでは、まず、入力操作部７の表示パネルに対し入力操作を行うことにより、制御部１３で作成された画像データを送るＰＣを選択する（Ｓ１）。すると、フラグがオフになっていることが確認されるとともに（Ｓ２）、設定画面２０が表示パネルに表示され（Ｓ３）、オペレータは、必要な入力操作を行うことができる。次に、ステップＳ４において、フラグの状態がオンであるが否かが判断されるが、この時点では、フラグはオフであることから、設定画面２０の送信サイズ選択ボタン２２が押されると（Ｓ６）、選択画面２４が開く（Ｓ７）。そして、選択画面２４において送信サイズの選択がされた後、閉じるボタン２３が押された場合は（Ｓ８）、フラグがオンにされて（Ｓ９）、再度設定画面２０が表示される（Ｓ３）。
【００３２】
そして、フラグがオンであると判断されるため（Ｓ４）、所定時間の間は作業中止ボタン２１の操作を受け付けない状態になる（Ｓ５）。なお、設定画面２０の他の入力ボタンの操作は、所定時間の間でも可能である（Ｓ６）。
【００３３】
一方、ステップＳ４においてフラグがオフであると判断された場合において、既に必要な入力操作を終了した場合のように入力ボタンが押されなかった場合は、作業中止ボタン２１が押されることで（Ｓ１０）、設定画面２０での作業が中止され（Ｓ１１）、設定画面２０が閉じる。また、作業中止ボタン２１が押されない状態で（Ｓ１０）、送信先の宛先を指定してスタートキーが押されると（Ｓ１２）、画像データの送信が行われる（Ｓ１３）。
【００３４】
このように構成された画像形成装置１では、選択画面２４を閉じる際に、所定時間内に閉じるボタン２３がさらに押されても、設定画面２０の作業中止ボタン２１に対する入力操作は受け付けられない。このため、この装置１でによれば、誤って設定画面２０が閉じてしまうのを回避することができる。
【００３５】
特に、この装置１では、作業中止ボタン２１に対する入力操作が所定時間受け付けられないよう動作することによって、設定画面２０に対して既に入力された内容が初期状態に戻されるのを回避できるため、オペレータは、再度同様の入力操作をしなければならない煩わしさから解放される。
【００３６】
［他の実施形態］
（ａ）本発明の表示装置は、画像形成装置に用いられるのみでなく、プリンタドライバがインストールされたＰＣ（モニタ、マウス等を含む）に用いられてもよい。この場合は、具体的には、ＰＣのモニタに第１及び第２操作画面が表示されるよう構成されるとともに、表示された操作画面に対しＰＣのマウス及びキーボードによって第２終了ボタンが所定時間内に２回以上続けてクリック等された場合に、第１終了ボタンに対する入力操作が受け付けられないよう構成される。
【００３７】
（ｂ）第１及び第２操作画面は、図３及び図４に示すボタン配置、構成に限定されるものではない。また、第２操作画面は、上記送信サイズ選択ボタン２２以外の入力ボタンを押すことで表示されるよう構成されてもよい。
【００３８】
（ｃ）第２終了ボタンが表示される領域は、第１終了ボタンが表示される領域と一致している必要はなく、少なくとも一部が重なって表示されればよい。
（ｄ）第１終了ボタンは、第２終了ボタンと同様、画面を閉じる機能を有するボタンであってもよい。
【００３９】
（ｅ）画像形成装置１は、ＬＡＮ及びインターネットを介して他のＰＣ等に接続されていなくてもよい。
【図面の簡単な説明】
【００４０】
【図１】本発明の一実施形態が採用された画像形成装置を示す斜視図。
【図２】前記画像形成装置を示すブロック図。
【図３】前記画像形成装置の表示パネルに表示される設定画面を示す平面図。
【図４】前記表示パネルに表示される選択画面を示す平面図。
【図５】前記画像形成装置の動作を説明するためのフローチャート。
【符号の説明】
【００４１】
１  画像形成装置
２０  設定画面
２１  作業中止ボタン
２３  閉じるボタン
２４  選択画面
【図１】
2005117080.tif 000003
【図２】
2005117080.tif 000004
【図３】
2005117080.tif 000005
【図４】
2005117080.tif 000006
【図５】
2005117080.tif 000007